(57)【要約】【課題】フライパンの高さや形状・大きさに関係なく、フライパンの外側において着脱式ハンドルを確実に固着できて使い勝手に優れ、安全かつ衛生的であり、製作コストの低減化も図った着脱式ハンドル用フライパン構造を提供する。【解決手段】フライパンＡに着脱自在で同フライパンＡを移動可能な着脱式ハンドル５に対応するフライパン構造であって、前記フライパンＡの開口外周壁部１の外側面２に、着脱式ハンドル５の先端６を着脱自在なハンドル取手３が取り付けられている。ハンドル取手２は、フライパンＡの開口外周壁部１の外側面２に対し、かしめ固定される。【選択図】    図３
0003176386.tif 000002
【実用新案登録請求の範囲】
【請求項１】
フライパンに着脱自在で同フライパンを移動可能な着脱式ハンドルに対応するフライパン構造であって、前記フライパンの開口外周壁部の外側面に、着脱式ハンドルの先端を着脱自在なハンドル取手が取り付けられていることを特徴とする着脱式ハンドル用フライパン構造。
【請求項２】
ハンドル取手は、フライパンの開口外周壁部の外側面に対し、かしめ固定されていることを特徴とする請求項１に記載した着脱式ハンドル用フライパン構造。
【請求項３】
ハンドル取手は、フライパンの開口外周壁部の外側面に対し、一体化固定されていることを特徴とする請求項１に記載した着脱式ハンドル用フライパン構造。
【請求項４】
ハンドル取手は、アルミニウム製であることを特徴とする請求項１〜３のいずれか１に記載した着脱式ハンドル用フライパン構造。
【請求項５】
フライパンの開口外周壁部の全体形状が、角型又は丸型であることを特徴とする請求項１〜３のいずれか１項に記載した着脱式ハンドル用フライパン構造。
【請求項６】
フライパンのハンドル取手の平面方向視形状がコ字状に形成され、先端が挟み部に形成された着脱式ハンドルの当該挟み部が、前記コ字状のハンドル取手を挟み込むことで同ハンドル取手に着脱式ハンドルが固着される構成であることを特徴とする、請求項１〜５のいずれか１項に記載した着脱式ハンドル用フライパン構造。
【請求項７】
コ字状ハンドル取手における外方位置の被挟持部の上部が、更に外方に膨出した膨出部に延設され、先端が挟み部に形成された着脱式ハンドルの当該挟み部が、前記コ字状のハンドル取手の膨出部と被挟持部を挟み込むことで同ハンドル取手に着脱式ハンドルが嵌合して固着される構成であることを特徴とする、請求項６に記載した着脱式ハンドル用フライパン構造。
【考案の詳細な説明】
【技術分野】
【０００１】
本考案は、フライパンの外側において、着脱式ハンドルを簡単に取り付け又は取り外すことができる着脱式ハンドル用フライパン構造の技術分野に関する。
【背景技術】
【０００２】
フライパンに対し固定式のハンドルではなく、着脱自在なハンドルが開発されている。例えば、下記文献１に係る実用新案登録第３０５８２５８号公報には、図５に示したように、上部開口型の容器本体ａに着脱自在に付設する容器用着脱式ハンドルｃにおいて、握持部ｄの先端部に前記容器本体ａの上部開口部周縁ｂの外側に当接する外側クランプｅと容器本体ａの上部開口部周縁ｂの内側に当接する内側クランプｆとを対向状態に設け、少なくとも前記一方のクランプｅ又はｆを他方のクランプｆ又はｅに対して接離移動自在に設け、この接離移動自在に設けた一方のクランプｅ又はｆを接離移動させる接離移動機構を握持部ｄに設け、この握持部ｄの基端部にこの接離移動機構を作動させる操作部ｇを設けたことを特徴とする容器用着脱式ハンドルが開示されている（同公報の請求項１参照）。
【先行技術文献】
【特許文献】
【０００３】
【特許文献１】実用新案登録第３０５８２５８号公報
【考案の概要】
【考案が解決しようとする課題】
【０００４】
前記文献１の容器用着脱式ハンドルは、設計製作が容易にでき、容器本体ａに取り付けた状態での握持操作が容易で、容器本体ａからハンドルｃを取り外してコンパクトに収納したり、様々な種類の容器に取り付けることができる利点はある。
【０００５】
しかし、前記握持部ｄの先端部において容器本体ａの上部開口部周縁ｂの外側に当接する外側クランプｅが、所定の高さを要するので、フライパン等の容器本体ａの高さが低い場合、換言すれば底が浅い場合は、その外側クランプｅが内側クランプｆとの間でうまく容器本体ａの上部開口部周縁ｂを挟持できない恐れがある。
【０００６】
また、容器本体ａの上部開口部周縁ｂの内側に当接するハンドルｃの内側クランプｆが、容器本体ａ内の食材に接触した場合、衛生上悪いといった問題点がある。
【０００７】
さらに、前記従来例の容器用着脱式ハンドルｃの場合、外側クランプｅと内側クランプｆとが容器本体ａの上部開口部周縁ｂの外側と内側に当接するので、フライパン等の容器本体ａが調理時に加熱された際、容器本体ａがもつ熱によって劣化する度合いが高い。
【０００８】
加えて、前記従来例の容器用着脱式ハンドルｃだと、容器本体ａの上部開口部周縁ｂの形状や曲率度合によっては、内外のクランプｅ、ｆで挟持できない恐れがあるといった問題がある。
【０００９】
したがって、本考案が解決しようとする課題は、フライパンの高さや形状・大きさに関係なく、フライパンの外側において着脱式ハンドルを確実に固着できて使い勝手に優れ、安全かつ衛生的であり、製作コストの低減化も図った着脱式ハンドル用フライパン構造を提供することにある。
【課題を解決するための手段】
【００１０】
上記課題を解決するための手段として、請求項１記載の考案の着脱式ハンドル用フライパン構造は、フライパンＡに着脱自在で同フライパンＡを移動可能な着脱式ハンドル５に対応するフライパン構造であって、前記フライパンＡの開口外周壁部１の外側面２に、着脱式ハンドル５の先端６を着脱自在なハンドル取手３を取り付けたことを特徴とする。
【００１１】
請求項２記載の考案の着脱式ハンドル用フライパン構造は、前記ハンドル取手２が、フライパンＡの開口外周壁部１の外側面２に対し、かしめ固定していることを特徴とする。
【００１２】
請求項３記載の考案は、前記ハンドル取手３が、フライパンＡの開口外周壁部１の外側面２に対し、一体化固定していることを特徴とする。
【００１３】
請求項４記載の考案は、前記ハンドル取手３がアルミニウム製であることを特徴とする。
【００１４】
請求項５記載の考案は、前記フライパンＡの開口外周壁部１の全体形状が角型又は丸型であることを特徴とする。
【００１５】
請求項６記載の考案は、前記フライパンＡのハンドル取手３の平面方向視形状をコ字状に形成し、先端６を挟み部７に形成した着脱式ハンドル５の当該挟み部７が、前記コ字状のハンドル取手３を挟み込むことで同ハンドル取手３に着脱式ハンドル５が固着される構成であることを特徴とする。
【００１６】
請求項７記載の考案は、前記コ字状ハンドル取手３における外方位置の被挟持部３０の上部が、更に外方に膨出した膨出部３１に延設され、先端６を挟み部７に形成した着脱式ハンドル５の当該挟み部７が、前記コ字状のハンドル取手３の膨出部３１と被挟持部３０を挟み込むことで同ハンドル取手３に着脱式ハンドル５が嵌合して固着される構成であることを特徴とする。
【考案の効果】
【００１７】
請求項１の本考案の着脱式ハンドル用フライパン構造は、フライパンに着脱自在な着脱式ハンドルに対応し、前記フライパンの開口外周壁部の外側面に、着脱式ハンドルの先端を着脱自在なハンドル取手が取り付けられているので、フライパンの外において、フライパンの高さや形状・大きさに拘らず、着脱式ハンドルを簡単かつ確実に固着又は離脱できて使い勝手に優れ、安全である。このハンドル取手は簡単な構造であるため製作コストの低減化も図られる。
【００１８】
また、着脱式ハンドルは、フライパン（開口外周壁部）の外で固定されるから、着脱式ハンドルの先端がフライパン内の食材に接触するようなことがなく、衛生管理面上も優れている。
【００１９】
そして、前記ハンドル取手の平面方向視形状をコ字状に形成すれば（請求項６）、先端が挟み部に形成された着脱式ハンドルの当該挟み部で、コ字状のハンドル取手を挟み込むことで、確実にハンドルがロックされ、不動状態が確保される。
【００２０】
更に請求項７のように、前記コ字状ハンドル取手における被挟持部から延設された膨出部の形態によれば、着脱式ハンドルの挟み部で、コ字状ハンドル取手の前記膨出部と被挟持部を挟み込むことで嵌合してより一層強固にロックされ、着脱式ハンドルの脱落防止が万全である。
【００２１】
フライパン構造は、ハンドル取手がフライパンの開口外周壁部の外側面に対し、かしめ固定され（請求項２）、又は一体化固定されている（請求項３）ので、着脱式ハンドルがハンドル取手に取り付けられた際に強固に固定され、フライパンの移動等に一切支障ない。
【００２２】
加えて、請求項４のように、ハンドル取手がアルミニウム製の場合、製造コストが安価な上、安定した品質を保持できる。
【００２３】
また、フライパンの開口外周壁部の全体形状が、丸型のみならず角型であっても、開口外周壁部の外側面にハンドル取手を取り付けて実施できる自在性がある（請求項５）。
【考案を実施するための最良の形態】
【００２４】
本考案に係る着脱式ハンドル用フライパン構造の好適な実施形態を、以下図面にしたがって説明する。このフライパン構造は、フライパンＡに着脱自在で同フライパンＡを移動可能な着脱式ハンドル５に対応するものである。
【００２５】
本実施形態のハンドル用フライパン構造は、上方が開口されたフライパンＡの底部の外周が立設されて形成された開口外周壁部１の外側面２に、着脱式ハンドル５の先端６を着脱自在なハンドル取手３が取り付けられているものである（図２）。着脱式ハンドル５の先端６は、後述するレバー８の操作で前後方向に移動するＬ型の挟み部７を備え、受け部９との間で挟持自在に形成されている。
【００２６】
フライパンＡのハンドル取手２の構成について説明する。
【００２７】
図１に示したように、本実施形態のハンドル取手３は、アルミニウム製により、その全体形状は平面方向からみた形状がコ字状に形成されている。前記着脱式ハンドル５の挟み部７が、このコ字状ハンドル取手３を挟み込んでハンドル取手３に着脱式ハンドル５が着脱自在になっている（図２、図３参照）。但し、後述する着脱式ハンドル５はその実施形態に限定されるものではない。
【００２８】
このハンドル取手３は、フライパンＡの開口外周壁部１の一外側面２に対し、外方位置で略平行に配置される水平状の被挟持部３０（長さ＝５５ｍｍ、高さ＝３０ｍｍ）と、その被挟持部３０の左右で、前記外側面２の方向にそれぞれ略直角につづいて折曲し突出される突出部３２、３２（各長さ＝１８ｍｍ）と、その各突出部３２から更につづいて直角に外側に折曲して成る左右の基部３３、３３（各長さ＝１３ｍｍ、高さ＝１３ｍｍ）とで構成されている。
【００２９】
前記被挟持部３０の上部は、フライパンＡの開口外周壁部１とは反対の外側方向に、Ｓ字状に湾曲しつつ若干膨出した膨出部３１に延設して形成されている。後述するように、着脱式ハンドル５の着脱を確実かつ容易にするためである。
【００３０】
また、前記左右の各基部３３、３３には、小孔３４、３４がそれぞれ穿設されている。この小孔に対応するフライパンＡの開口外周壁部１側にも小孔１０、１０が穿設されている。よって、前記ハンドル取手３の左右の基部３３、３３の小孔３４、３４と、フライパンＡの開口外周壁部１の小孔１０、１０を合致させ、かしめ４で固定することで、ハンドル取手３がフライパンＡの開口外周壁部１の外側面２に対し、強固に固定されている。
【００３１】
或いはまた、ハンドル取手３（基部３３）とフライパンＡとを一体化成形することで固定することも好適に実施可能である（図示は省略）。
【００３２】
かくして、このコ字状ハンドル取手３の被挟持部３０と、フライパンＡの開口外周壁部１の外側面２との間に、空所１１が形成されており、この空所４に着脱式ハンドル５が挿通・係止自在な構成となっている。
【００３３】
なお、ハンドル取手３は、図１〜図３に示した角型のフライパンＡのみならず、図４に示したような丸型のフライパンＡの開口外周壁部１に対しても取り付けられる。この図４の場合、丸型フライパンＡの湾曲状の開口外周壁部１にぴったりと当接するように、ハンドル取手３の左右の基部３３、３３は、前記開口外周壁部１と同じ曲率で湾曲させた形態で実施される。
【００３４】
また、上述した本実施形態で示したように、１個のフライパンＡ（開口外周壁部１）に対して通例１個のハンドル取手３が取り付けられているが、対向配置で２個のハンドル取手３、３を取り付けるなど複数個のハンドル取手３・・・で実施する形態も好適に行なわれる。
【００３５】
以下に、本実施形態の使用例について説明する。
【００３６】
図２と図３に示した棒状の着脱ハンドル５の先端６には、垂直方向にやや傾斜したフラット面の受け部９が形成されていると共に、レバー８の操作で前後に動くＬ字状の挟み部７が設けられており、この挟み部６が前記受け部９との間で、前記ハンドル取手３（被挟持部３０）を挟持自在に構成されている。通常、レバー８の解除状態で、挟み部６は前方向へ突き出した開き状態となっている。
【００３７】
したがって、着脱ハンドル５をフライパンＡのハンドル取手３に取り付ける際には、開き状態の挟み部７を、コ字状ハンドル取手３の被挟持部３１の内側の空所４内に挿し込んで係止した後、レバー８を回して当該空所４内の挟み部７を受け部９側に引き寄せる。そうすると、着脱ハンドル５は、ハンドル取手３の膨出部３１と被挟持部３０を強固に挟んでぴったりと嵌合し、ロック状態が確保される。
【００３８】
前記のようなハンドル５のロック状態で一体化されたフライパンＡは、ハンドル５を握って移動自在である。
【００３９】
ハンドル５をフライパンＡから離脱するには、フライパンをコンロ等の上に安定して載置した状態で、レバー８を逆回転させてロック解除すると、挟み部６が外方向に移動し、ハンドル取手３の被挟持部３０と膨出部３１への嵌合ロック状態が解かれ、ハンドル５を容易に離脱することができる。
【図面の簡単な説明】
【００４０】
【図１】着脱式ハンドル用フライパン構造を示した全体斜視図である。
【００４１】
【図２】ハンドル取手への着脱式ハンドルの取り付け状態を示した右側部分側面図である。
【００４２】
【図３】ハンドル取手への着脱式ハンドルの取り付け状態を示した斜視図である。
【００４３】
【図４】異なるフライパン構造を示した平面図である。
【００４４】
【図５】従来例を示した側面断面図である。
【符号の説明】
【００４５】
Ａ      フライパン
１      開口外周壁部
２      外側面
３      ハンドル取手
３０    被挟持部
３１    膨出部
５      着脱式ハンドル
６      先端
７      挟み部
８      レバー
９      受け部
【図１】
0003176386.tif 000003
【図２】
0003176386.tif 000004
【図３】
0003176386.tif 000005
【図４】
0003176386.tif 000006
【図５】
0003176386.tif 000007